(57)【要約】【課題】  得られる画像の画質を低下させることなく、出力特性補正用データの更新処理に要する時間を短縮化することができる画像形成装置を提供すること。【解決手段】  本発明の画像形成装置は、中間調を再現するための複数種類のスクリーンパターンと、当該スクリーンパターンの各々に対応して設定された出力特性補正用データと、スクリーンパターンの使用履歴情報とが記録された記憶手段を備えてなり、出力特性補正用データの更新処理が行われるに際して、前記複数種類のスクリーンパターンのうちから少なくとも一種のスクリーンパターンを前記使用履歴情報に基づいて選択する機能を有する制御手段を有する。制御手段は、使用頻度が高いスクリーンパターンを選択する機能を有する構成、あるいは直前のｊｏｂにおいて使用されたスクリーンパターンを選択する機能を有する構成とすることができる。【選択図】  図３
2007006204.tif 000002
【特許請求の範囲】
【請求項１】
中間調を再現するための複数種類のスクリーンパターンと、当該スクリーンパターンの各々に対応して設定された、画像データの出力特性を補正するための出力特性補正用データとが記録された記憶手段を備えた画像形成装置であって、
記憶手段には、各々のスクリーンパターンの使用履歴情報が記録されており、
出力特性補正用データの更新処理が行われるに際して、前記複数種類のスクリーンパターンのうちから少なくとも一種のスクリーンパターンを当該使用履歴情報に基づいて選択する機能を有する制御手段を有することを特徴とする画像形成装置。
【請求項２】
制御手段は、使用頻度が高いスクリーンパターンを選択する機能を有することを特徴とする請求項１に記載の画像形成装置。
【請求項３】
制御手段は、直前のｊｏｂにおいて使用されたスクリーンパターンを選択する機能を有することを特徴とする請求項１に記載の画像形成装置。
【請求項４】
少なくとも２種類以上のスクリーンパターンが設定されていることを特徴とする請求項１乃至請求項３のいずれかに記載の画像形成装置。
【発明の詳細な説明】
【技術分野】
【０００１】
本発明は、例えば電子写真方式を利用した画像形成装置に関するものである。
【背景技術】
【０００２】
現在、例えば電子写真方式を利用した画像形成装置においては、例えば画像読み取り手段によって読み取られた原稿画像などの印刷対象の画像データに対して、原稿画像をより忠実に再現すること、あるいは原稿画像を使用目的に応じて加工することなどを目的として、適宜の画像処理が行われている。
原稿画像の画像データに対して行われる画像処理の一として、中間調を再現するための中間調処理（スクリーン処理）があり、この中間調処理において用いられるスクリーンパターン（階調パターン）としては、線状や点状あるいは格子状などのパターンの種類や、スクリーン線数あるいはドット数が細かいものから粗いものまで様々なものが用いられており、例えば複数種類のスクリーンパターンを目的に応じて適宜に選択可能とされた画像形成装置が提案されている（例えば特許文献１参照。）。
【０００３】
一方、機器類の消耗や、環境条件の変化等に起因して出力特性（プリント特性）が変動する場合があるため、印刷対象の画像データに対して、例えばγ補正用曲線を示す１次元のγ補正用ルックアップテーブル（以下、「γ補正用ＬＵＴ」いう。）を用いて入力画像を画像変換することにより、入力画像に対して出力画像の階調を目標階調に変換する、すなわち出力特性を補正するγ補正処理が行われている。
一般に、電子写真の階調特性は、スクリーンパターンの構成に依存することが知られており、印刷処理において使用されるスクリーンパターン毎にγ補正処理を行うことが必要とされるため、各スクリーンパターンに対応するγ補正用ＬＵＴが用意されている。
【０００４】
そして、このような画像形成装置においては、安定した画質の画像を常に出力するためには、γ補正用ＬＵＴを一定期間毎に更新することが必要とされる。
しかしながら、特許文献１に開示されている技術においては、複数種類のスクリーンパターンのすべてについて、γ補正用ＬＵＴの更新処理が行われるため、γ補正用ＬＵＴの更新処理に長時間を要することとなる。そして、γ補正用ＬＵＴの更新処理が行われている間は、画像形成装置はプリント動作等の他の動作を実行することができないため、ユーザは画像形成装置を使用できず待機していなければならない、という問題がある。
【０００５】
このような問題に対して、例えばスクリーンパターンに応じて頻度を変更して更新処理を行う画像形成装置が提案されている（例えば特許文献２参照。）。
【特許文献１】特開２００２−２１８２４３号公報
【特許文献２】特開２００４−０６４３５８号公報
【発明の開示】
【発明が解決しようとする課題】
【０００６】
以上のように、画像形成装置においては、例えば原稿画像を忠実に再現するために、γ補正用ＬＵＴを定期的に更新することが必要とされるが、更新処理に要する時間をできるだけ短縮化することが望まれる。
本発明は、以上のような事情に基づいてなされたものであって、その目的は、出力特性補正用データの更新処理を効率的に行うことができ、従って、得られる画像の画質を低下させることなく、出力特性補正用データの更新処理に要する時間を短縮化することができる画像形成装置を提供することにある。
【課題を解決するための手段】
【０００７】
本発明の画像形成装置は、中間調を再現するための複数種類のスクリーンパターンと、当該スクリーンパターンの各々に対応して設定された、画像データの出力特性を補正するための出力特性補正用データとが記録された記憶手段を備えたものであって、
記憶手段には、各々のスクリーンパターンの使用履歴情報が記録されており、
出力特性補正用データの更新処理が行われるに際して、前記複数種類のスクリーンパターンのうちから少なくとも一種のスクリーンパターンを当該使用履歴情報に基づいて選択する機能を有する制御手段を有することを特徴とする。
【０００８】
本発明の画像形成装置においては、制御手段は、使用頻度が高いスクリーンパターンを選択する機能を有する構成、あるいは直前のｊｏｂにおいて使用されたスクリーンパターンを選択する機能を有する構成とすることができる。
また、本発明の画像形成装置においては、少なくとも２種類以上のスクリーンパターンが設定された構成とすることができる。
【発明の効果】
【０００９】
本発明の画像形成装置によれば、複数種類のスクリーンパターンのうちから使用履歴情報に基づいて選択された特定のスクリーンパターンについてのみ、出力特性補正用データの更新処理が行われることにより、当該出力特性補正用データの更新処理を効率的に行うことができるので、得られる画像の画質を低下させることなしに、更新処理に要する時間を大幅に短縮することができる。
【発明を実施するための最良の形態】
【００１０】
図１は、本発明の画像形成装置の一例における構成の概略を示す説明図である。
この画像形成装置は、原稿画像を光学的に走査して読み取って画像データを形成する画像読み取り手段１１と、画像読み取り手段１１からの画像データまたは外部機器から入力される画像データに対して適宜の画像処理を行う画像処理手段１２および記憶手段１３を有する制御手段１５と、画像読み取り手段１１の下方に位置された、画像処理がなされた画像データに基づいて画像を形成する画像記録手段２０と、画像記録手段２０の下方に位置された、互いにサイズの異なる複数種類の記録材が収容された複数の給紙トレイ１６Ａ、１６Ｂ、１６Ｃを有する給紙手段１６とを有する画像形成装置本体１０を備えている。１８は、画像形成装置本体１０の上部に設けられた自動原稿給送機構（ＡＤＦ）である。
【００１１】
画像記録手段２０は、例えば、複数の支持ローラ群によって張架された状態で配設された、無端ベルト状の中間転写体（以下、「中間転写ベルト」という。）２１を備えており、この中間転写ベルト２１の外周面に沿って、各々、イエロートナー像、マゼンタトナー像、シアントナー像およびブラックトナー像を形成する４つのトナー像形成ユニット３０Ｙ，３０Ｍ，３０Ｃ，３０Ｋが、中間転写ベルト２１が各々のトナー像形成ユニットにおける像形成体３１Ｙ，３１Ｍ，３１Ｃ，３１Ｋの各々に対接されながら循環移動されるよう、上下方向に離間して並ぶよう設けられている。
【００１２】
イエロートナー像に係るトナー像形成ユニット３０Ｙは、回転される像形成体３１Ｙと、この像形成体３１Ｙの外周面に沿って、各々、像形成体３１Ｙの回転方向に対して動作順に並ぶよう配設された、帯電手段３２Ｙ、露光手段３３Ｙ、現像手段３４Ｙ、一次転写手段３５Ｙ、および像形成体クリーニング手段３６Ｙとにより構成されている。
像形成体３１Ｙは、例えば、有機光導電体を含有させた樹脂よりなる感光層がドラム状の金属基体の外周面に形成されてなる有機感光体よりなる。
帯電手段３２Ｙは、例えばスコロトロン帯電器により構成されている。
露光手段３３Ｙは、例えば、レーザーダイオード、ポリゴンミラー、各種レンズおよびミラー等で構成されたレーザ照射装置よりなる。
現像手段３４Ｙは、像形成体３１Ｙと現像領域を介して対向するよう配置された現像スリーブを備え、例えば二成分現像剤が充填されてなる現像器よりなる。
一次転写手段３５Ｙは、中間転写ベルト２１を介して像形成体３１Ｙに押圧されて一次転写領域（一次転写ニップ部）が形成されるよう設けられた一次転写ローラと、この一次転写ローラに接続された転写電流供給手段（図示せず）とにより構成されている。
像形成体クリーニング手段３６Ｙは、例えばブレードクリーニング方式を利用したものにより構成されている。
【００１３】
他のトナー像形成ユニット３０Ｍ，３０Ｃ，３０Ｋの各々についても、現像剤がイエロートナーの代わりにそれぞれマゼンタトナー、シアントナー、ブラックトナーを含むものであることの他は、イエロートナー像に係るトナー像形成ユニット３０Ｙと同様の構成とされており、図１においては、便宜上、イエロートナー像に係るトナー像形成ユニット３０Ｙと同一の構成部材については、「Ｙ」を、それぞれ、「Ｍ」，「Ｃ」，「Ｋ」に代えた同一の符号が付してある。
【００１４】
中間転写ベルト２１の移動方向（図１において矢印で示す。）におけるトナー像形成ユニット配置領域より下流側の位置には、二次転写手段２５が設けられている。
二次転写手段２５は、中間転写ベルト２１を支持する支持ローラの一であるバックアップローラに中間転写ベルト２１を介して押圧されて二次転写領域（二次転写ニップ部）が形成されるよう設けられた二次転写ローラと、この二次転写ローラに接続された、転写電圧印加手段とにより構成されている。
図１において、２６は、二次転写領域から搬送される記録材上におけるカラートナー像を定着させる定着手段であり、例えば、内部に加熱源を具えた加熱ローラと、この加熱ローラと定着ニップ部が形成されるよう圧接された状態で設けられた加圧ローラとにより構成された、熱ローラ定着方式を利用したものにより構成されている。
【００１５】
また、中間転写ベルト２１の移動方向における二次転写領域の上流側の位置または下流側の位置に、中間転写ベルト２１上に形成されたトナー像の濃度測定を行うための濃度検知手段、例えばフォトセンサ（図示せず）が設置されており、この濃度検知手段によって、後述するγ補正用ＬＵＴの更新処理において、中間転写ベルト２１上に形成された各色の基準パターン画像の反射光量が測定される。
【００１６】
制御手段１５は、上述したように、画像読み取り手段１１からの画像データまたは外部機器から入力される画像データに対して適宜の画像処理を行う画像処理手段１２と、画像処理などにおいて用いられる各種のデータが更新可能に記録された記憶手段１３とを有し、後述するスクリーンパターンの更新処理が行われるに際して、更新すべきスクリーンパターンを選択する機能を有する。
画像処理手段１２は、図２に示すように、例えば入力された原稿画像の画像データ信号（ＲＧＢ輝度信号）を画像記録手段２０で使用される色材であるイエロー（Ｙ）、マゼンタ（Ｍ）、シアン（Ｃ）、黒（Ｋ）の各色に色分解し（濃度変換処理）、色分解された各色の画像データ信号に対して、色再現処理、γ補正処理、中間調処理（スクリーン処理）および必要に応じて適宜に行われる各種の画像処理を順次に行い、露光用画像データ信号として画像記録手段２０に出力する。
【００１７】
記憶手段１３には、例えば、複数の画素領域においてマトリクス状に配置された閾値配列からなり、中間調を再現するための複数種類のスクリーンパターン、各々のスクリーンパターンに対応する出力補正用データであるγ補正用ＬＵＴ（γ補正用ルックアップテーブル）、γ補正用ＬＵＴの更新処理に用いられる各色Ｙ，Ｍ，Ｃ，Ｋ毎の基準パターン画像の画像データ、スクリーンパターンの使用履歴情報などが更新可能に記録されている。ここに、スクリーンパターンの種類としては、例えば線状（ラインパターン）、点状（ドットパターン）、あるいは格子状などを例示することができ、例えば２〜１０種類のものが設定されている。
【００１８】
γ補正用ＬＵＴは、例えば次のようにして取得されたものである。すなわち、基準パターン画像の画像データに対してスクリーンパターンによる中間調処理を行い、これにより得られる画像データに基づいて基準パターン画像を形成し、実際に中間転写ベルト２１上に形成された基準パターン画像の反射光量を測定することにより基準パターン画像の出力濃度値を得る。ここに、基準パターン画像は、例えば２８段階の階調、すなわち濃度が段階的に変化するパッチ状の濃度ステップからなるものが用いられ、Ｙ、Ｍ、Ｃ、Ｋの各色に対応するものが用意されている。
そして、予め分かっている各濃度ステップの入力濃度値に対する出力濃度値の関係から、基準濃度についての出力特性の補正量を取得することができる。また、基準濃度値以外の濃度値についての補正量は、例えば適宜の補間法により取得することができ、これにより、γ補正用ＬＵＴを作成することができる。
このような処理が、すべてのスクリーンパターンについて行われ、各々のスクリーンパターンに対応するγ補正用ＬＵＴが作成される。
【００１９】
上記画像形成装置の動作について説明する。
例えば画像読み取り手段１１によって原稿画像の画像データ信号（ＲＧＢ輝度信号）が画像処理手段１２に入力されると、図２に示すように、先ず、Ｙ、Ｍ、Ｃ、Ｋの各色の画像データ信号に変換された後、この画像データ信号に対して例えば空間フィルタ処理などの適宜の画像処理（色再現処理）が順次に行われ、原稿画像に忠実な像を再現するための補正処理がなされる。ここに、色再現処理例えば空間フィルタ処理などは、従来より好適に用いられている方法を利用することができる。
次いで、Ｙ、Ｍ、Ｃ、Ｋの各色の画像データ信号に対してγ補正処理が行われる。すなわち、印刷ｊｏｂに使用されるスクリーンパターンに対応してＹ、Ｍ、Ｃ、Ｋの各色毎に予め設定されているγ補正用ＬＵＴが記憶手段１３から読み出され、このγ補正用ＬＵＴにより原稿画像の入力濃度値に対する出力濃度値がリニアになるよう濃度変換されて、出力特性の補正が行われる。
γ補正処理が終了すると、γ補正されたＹ、Ｍ、Ｃ、Ｋの各色の画像データ信号に対して中間調処理が行われた後、露光用画像データ信号として画像記録手段２０に出力される。中間調処理の方法としては、従来より好適に用いられている方法を利用することができる。
【００２０】
画像処理手段１２からＹ、Ｍ、Ｃ、Ｋの各色の露光用画像データ信号が画像記録手段２０に入力されると、各色のトナー像形成ユニット３０Ｙ，３０Ｍ，３０Ｃ，３０Ｋの各々において、各色のトナー像が露光用画像データ信号に基づいて各像形成体３１Ｙ，３１Ｍ，３１Ｃ，３１Ｋ上に形成される。
具体的には、例えばイエロートナー像に係るトナー像形成ユニット３０Ｙにおいては、回転される像形成体３１Ｙの表面が、帯電手段３２Ｙによって所定の極性、例えば負極性に順次に帯電され、この状態において、露光手段３３Ｙによって、レーザ光が像形成体３１Ｙの表面にＹ色の露光用画像データ信号に基づいて選択的に照射されることにより、照射箇所（露光領域）の電位が低下して原稿画像に対応した静電潜像が形成される。
一方、現像手段３４Ｙにおける現像スリーブの表面に対して、トナーの帯電極性と同極性の直流バイアス電圧が交流バイアス電圧に重畳された現像バイアス電圧が図示しない電圧印加手段によって印加され、現像スリーブの表面電位と同じ極性に帯電されたトナーを含む現像剤が、その搬送量が規制された状態で現像領域に搬送される。そして、現像領域において、現像スリーブ上のトナーが像形成体Ｙの露光領域に付着して反転現像が行われて、像形成体Ｙ上にイエロートナー像が形成される。
このようなトナー像形成動作が、マゼンタトナー像に係るトナー像形成ユニット３０Ｍ、シアントナー像に係るトナー像形成ユニット３０Ｃおよびブラックトナー像に係るトナー像形成ユニット３０Ｋの各々において行われて、各色のトナー像が各像形成体３１Ｙ，３１Ｍ，３１Ｃ，３１Ｋ上に形成される。
【００２１】
トナー像形成ユニット３０Ｙ，３０Ｍ，３０Ｃ，３０Ｋの各々において形成された各色のトナー像は、それぞれの一次転写領域において順次に中間転写ベルト２１上に一次転写され、各色のトナー像が中間転写ベルト２１上で重ね合わせられることにより一次転写トナー像が形成される。
【００２２】
一方、給紙手段１６から記録材である適宜のサイズの転写紙が給紙され、中間転写ベルト２１上に形成された一次転写トナー像と同期がとられた状態で二次転写領域に搬送される。
そして、二次転写領域において、一次転写トナー像が、転写電圧印加手段によって適正な大きさに制御された二次転写バイアス電圧が二次転写手段２５の二次転写ローラに印加されることにより形成される転写電界の作用によって、転写紙上に二次転写され、その後、定着手段２６によって熱定着されて転写紙上にカラー画像が形成される。
【００２３】
上述したように、画像形成装置においては、出力特性（プリント特性）が経時的に変化することから、原稿画像に忠実な画像を形成するために、γ補正用ＬＵＴを定期的に更新すること（安定化制御）が必要とされている。
而して、本発明の画像形成装置においては、所定の条件を満たす状態に至った場合に、画像形成装置に設定されている複数種類のスクリーンパターンのうちから選ばれた、特定のスクリーンパターンに対応するγ補正用ＬＵＴのみが選択的に更新される。
例えば目標値である入力濃度値（露光用画像データに係る濃度値）に対する、実際の出力濃度値（中間転写ベルト２１上に形成されたトナー像の反射濃度）の誤差が例えば±１５％以上となる場合、具体的には、例えばγ補正テーブルが前回更新されてから、所定枚数以上印刷処理が行われた場合、所定期間経過した場合、あるいは環境条件が著しく変化した場合などに、選択されたスクリーンパターンのγ補正用ＬＵＴが更新される。
【００２４】
γ補正用ＬＵＴの更新処理について具体的に説明すると、図３に示すように、先ず、上記所定の条件を満足する場合に、γ補正用ＬＵＴを更新すべきスクリーンパターンが、例えば記憶手段１３に記録されているスクリーンパターン使用履歴情報に基づいて選択される。具体的には、スクリーンパターン使用履歴情報として、例えば各スクリーンパターンの使用頻度が記憶手段１３に記録されており、使用頻度が高いスクリーンパターンが選択される。
そして、基準パターン画像の画像データが、選択されたスクリーンパターンに対応するγ補正用ＬＵＴによって濃度変換された後、当該選択されたスクリーンパターンによる中間調処理が行われて、これにより得られる画像データ信号が露光用画像データ信号として画像記録手段２０に出力される。
その後、画像記録手段２０によって、基準パターン画像に応じたトナー像が露光用画像データ信号に基づいて形成され、中間転写ベルト２１上においてその反射濃度がフォトセンサにより測定され、図４に示すように、基準パターン画像の各パッチの濃度値（入力濃度値）を、最高画像濃度１．６から最低画像濃度０．０を２５６階調で示した諧調数として横軸にとり、実際に測定された反射濃度値（出力濃度値）を縦軸にとった、基準パターン画像の入力濃度値に対する出力濃度値をプロットした測定曲線が算出される。そして、γ補正曲線として、目標階調を示す直線に対して測定曲線の逆特性を有する曲線が作成される。次いで、作成されたγ補正曲線がテーブル化されたγ補正用ＬＵＴが作成され、このγ補正用ＬＵＴが記憶手段１３に更新記録される。
以上のような処理が、Ｙ，Ｍ，Ｃ，Ｋの各色毎に行われ、選択されたスクリーンパターンに係るすべての色Ｙ、Ｍ、Ｃ、Ｋについてγ補正用ＬＵＴが作成されて記憶手段１３に更新記録される。
【００２５】
以上において、更新処理を行うべきスクリーンパターンの数、すなわち選択されるスクリーンパターンの数は、一つに限定されるものではなく、複数であってもよい。例えば、最も使用頻度が高いスクリーンパターンが例えば二種類ある場合には、この二種類のスクリーンパターンが選択されて、各々のスクリーンパターンについて順次に更新処理が行われる。
【００２６】
そして、特定のスクリーンパターンについての更新処理が行われた後に行われる印刷ｊｏｂにおいて、この特定のスクリーンパターン以外のスクリーンパターンが使用される場合には、図５に示すように、このスクリーンパターンに対応するγ補正用ＬＵＴの更新の要否について判定処理が行われて、γ補正用ＬＵＴの更新が必要であると判断される場合には、上記更新処理がいわば追加的に行われ、一方、γ補正用ＬＵＴの更新が不要であると判断される場合には、記憶手段１３に記録されているγ補正用ＬＵＴがそのまま利用されて、印刷処理が行われる。このような場合であっても、全体的にみれば、すべてのスクリーンパターンについて更新処理が行われる場合に比して、更新処理に要する時間の短縮化が十分に図られることになる。
【００２７】
以上のような画像形成装置によれば、記憶手段１３に記録されている使用履歴情報、具体的には使用頻度に基づいて、複数種類のスクリーンパターンのうちから使用頻度の高いものが選択され、この選択された特定のスクリーンパターンについてのみ、当該特定のスクリーンパターンに対応するγ補正用ＬＵＴの更新処理が行われること、換言すれば、使用頻度が低いものについてはγ補正用ＬＵＴの更新処理が行われないことにより、当該γ補正用ＬＵＴの更新処理を効率的に行うことができるので、得られる画像の画質を低下させることなしに、更新処理に要する時間を大幅に短縮することができる。
そして、上記画像形成装置は、記憶手段１３に設定されているスクリーンパターンの数が少なくとも２種類以上である場合に、極めて有用なものとなる。
【００２８】
以上においては、更新処理が行われるべきスクリーンパターンが、各スクリーンパターンの使用頻度に基づいて自動選択される場合について説明したが、本発明の画像形成装置においては、例えばスクリーン使用履歴情報として、直前の印刷ｊｏｂにおいて使用されたスクリーンパターンの種類または現在行われている印刷ｊｏｂにおいて用いられているスクリーンパターンの種類を記憶手段１３に記録しておき、この情報に基づいて、更新処理が行われるべきスクリーンパターンが自動選択される構成とされていてもよい。
このような構成のものにおいては、スクリーンパターンについての更新処理が印刷ｊｏｂ間に行われる場合には、直前の印刷ｊｏｂにおいて使用されたスクリーンパターンが自動選択され、印刷ｊｏｂ間においてスクリーンパターンについての更新処理が行われる所定条件を満足する状態となったことが確認された場合には、現在行われている印刷ｊｏｂにおいて用いられているスクリーンパターンが自動選択される。
【００２９】
また、印刷処理を行うユーザ自身が、各種の動作設定条件を設定するための操作部によって、更新処理を行うべきスクリーンパターンを選択する構成とされていてもよい。
さらに、例えば上記のスクリーンパターンの使用頻度に基づいた選択方法および直前の印刷ｊｏｂに係る情報に基づいた選択方法が所定の優先順位をもって組み合わされていてもよい。例えばすべてのスクリーンパターンの使用頻度が互いに同一である場合には、例えば各スクリーンパターンの使用頻度に基づく選択処理を行った後、直前の印刷ｊｏｂに係る情報に基づく選択処理を行い、これにより、更新処理すべきスクリーンパターンを特定するようにすることができる。
【００３０】
以上のようなスクリーンパターンの選択方法が実行される画像形成装置においても、上記構成のものと同様、実用上十分な効果を得ることができる。
【００３１】
以上、本発明の実施形態について説明したが、本発明は上記の実施形態に限定されるものではなく、種々の変更を加えることができる。
例えば、印刷処理すべき画像データが外部機器から入力される構成とされていてもよい。このような構成の画像形成装置においては、例えばγ補正用ＬＵＴの更新処理を行うに際して、更新処理を行うべきスクリーンパターンが個人ＩＤ情報に基づいて自動選択される構成とすることができる。このような場合には、ユーザがいつも同じスクリーンパターンを好んで使用する場合があることから、ユーザの個人ＩＤ情報を当該スクリーンパターンと関連づけて登録しておけばよい。
また、画像形成装置本体に設定されるスクリーンパターンの数、基準パターン画像の階調数は、特に限定されるものではなく、目的に応じて適宜に変更することができる。
さらに、本発明をモノクロ画像形成装置に適用することができ、また、複写機以外にも、例えばプリンタ、ファクシミリおよびその他の電子写真方式を利用した画像形成装置に適用することができる。
【図面の簡単な説明】
【００３２】
【図１】本発明の画像形成装置の一例における構成の概略を示す説明図である。
【図２】画像処理手段によって行われる画像処理を説明するためのブロック図である。
【図３】γ補正用ＬＵＴの更新処理を説明するためのフローチャートである。
【図４】測定曲線から算出されるγ補正曲線を示す図である。
【図５】特定のスクリーンパターンについて更新処理が行われた後の印刷処理において当該特定のスクリーンパターン以外のスクリーンパターンが用いられる場合のフローチャートである。
【符号の説明】
【００３３】
１０  画像形成装置本体
１１  画像読み取り手段
１２  画像処理手段
１３  記憶手段
１５  制御手段
１６  給紙手段
１６Ａ、１６Ｂ、１６Ｃ  給紙トレイ
１８  自動原稿給送機構（ＡＤＦ）
２０  画像記録手段
２１  中間転写ベルト
２５  二次転写手段
２６  定着手段
３０Ｙ，３０Ｍ，３０Ｃ，３０Ｋ  トナー像形成ユニット
３１Ｙ，３１Ｍ，３１Ｃ，３１Ｋ  像形成体
３２Ｙ，３２Ｍ，３２Ｃ，３２Ｋ  帯電手段
３３Ｙ，３３Ｍ，３３Ｃ，３３Ｋ  露光手段
３４Ｙ，３４Ｍ，３４Ｃ，３４Ｋ  現像手段
３５Ｙ，３５Ｍ，３５Ｃ，３５Ｋ  一次転写手段
３６Ｙ，３６Ｍ，３６Ｃ，３６Ｋ  像形成体クリーニング手段
【図１】
2007006204.tif 000003
【図２】
2007006204.tif 000004
【図３】
2007006204.tif 000005
【図４】
2007006204.tif 000006
【図５】
2007006204.tif 000007